(57)【要約】【課題】  操作部の操作に習熟していないDJでも、オーディオ信号から検出した拍に合わせて、記憶部に記憶させた操作部の操作指示を再現することができるミキシング装置を提供する。【解決手段】オーディオ信号を入力する入力部と、入力部から入力されるオーディオ信号を選択する選択スイッチ部と、選択部により選択されたオーディオ信号に切り換える切換部と、オーディオ信号の拍を検出する拍検出部と、選択部によりオーディオ信号を選択する操作手順を記憶する操作手順記憶部と、拍検出部が検出した拍に合わせて、操作手順記憶部に記憶された選択部の操作手順で切換部によるオーディオ信号の切り換えを制御する制御部とを備える。【選択図】  図１
2005292317.tif 000002
【特許請求の範囲】
【請求項１】
複数のオーディオ信号を入力する入力部と、前記入力部から入力されたオーディオ信号に音響効果処理を施す音響効果処理部と、前記音響効果処理部により音響効果処理が施されたオーディオ信号を出力する出力部とを備えたミキシング装置において、
前記入力部から入力されるオーディオ信号を選択する選択部と、
前記音響効果処理部に入力するオーディオ信号を前記選択部により選択されたオーディオ信号に切り換える切換部と、
前記選択部により選択されたオーディオ信号の拍を検出する拍検出部と、
前記選択部によりオーディオ信号を選択する操作手順を示す情報を記憶する操作手順記憶部と、
前記拍検出部が検出した拍に合わせて、前記操作手順記憶部に記憶された前記選択部の操作手順を示す情報に従って前記切換部によるオーディオ信号の切り換えを制御する制御部とを備えることを特徴とするミキシング装置。
【請求項２】
複数のオーディオ信号を入力する入力部と、前記入力部から入力されたオーディオ信号に音響効果処理を施す音響効果処理部と、前記音響効果処理部により音響効果処理が施されたオーディオ信号を出力する出力部とを備えたミキシング装置において、
前記入力部から入力されるオーディオ信号を選択する選択部と、
前記選択部により選択されたオーディオ信号の拍を検出する拍検出部と、
オーディオ信号を記憶する複数の記憶領域を有するオーディオデータ記憶部と、
前記オーディオデータ記憶部の複数の記憶領域に記憶されたオーディオ信号を指定する指定部と、
前記指定部により前記記憶部の記憶領域に記憶されたオーディオ信号を指定する操作手順を示す情報を記憶する操作手順記憶部と、
前記拍検出部が検出した拍に合わせて、前記操作手順記憶部に記憶された前記指定部の操作手順を示す情報に従って前記オーディオデータ記憶部の複数の記憶領域に記憶されたオーディオ信号を読み出す制御をする制御部とを備えることを特徴とするミキシング装置。
【発明の詳細な説明】
【技術分野】
【０００１】
本発明は、入力される複数のオーディオ信号を選択し、選択したオーディオ信号に音響効果処理を施してオーディオ信号を出力するミキシング装置に関する。
【背景技術】
【０００２】
従来のミキシング装置は、オーディオ信号を入力する複数の入力端子を備えている。一般に、第n番目の入力端子に入力されたオーディオ信号は、第nチャンネルのオーディオ信号と呼ばれる。ミキシング装置の操作部には、複数の入力端子から入力されるオーディオ信号を選択する操作をする複数の選択スイッチ、入力端子から入力されたオーディオ信号をサンプリングデータとして記憶部に記憶させる操作及び記憶部に記憶させたサンプリングデータを出力させる操作をする複数のサンプラーボタンを備えている。
【０００３】
ミキシング装置を操作するDJ（Disc Jockey）は、上述した選択スイッチを用いて入力されたオーディオ信号から効果音を生成する操作を行うことができる。例えば、第１番目の入力端子には、第１チャンネル（以下ch１という。）のオーディオ信号が入力され、第２番目の入力端子には第２チャンネル（以下ch2という。）のオーディオ信号が入力されていないものとする。DJは、選択スイッチを用いて交互にch１とch２を選択する操作を素早く繰り返し行う。DJがch１を選択する操作をすると、ch１のオーディオ信号がミキシング装置から出力される。DJがch１からch２を選択する操作をすると、ミキシング装置からオーディオ信号が出力されない（無音）。このため、DJが選択スイッチによりch１とch２を選択する操作を素早く繰り返し行うことにより、オーディオ信号と無音が交互に出力され、効果音を生成することができる。
【０００４】
また、DJは、上述したサンプラーボタンを用いて楽曲のベースとなるリズムを生成する操作を行うことができる。例えば、サンプリングデータ１及びサンプリングデータ２として既にオーディオ信号が記憶されているものとし、これらのデータは共に音圧レベルの高いドラム音の音がミキシング装置に備えられた記憶部に記憶されているものとする。DJは、２つのサンプラーボタン（サンプラーボタン１及びサンプラーボタン２）を用いて交互にサンプリングデータ１のオーディオ信号とサンプリングデータ２のオーディオ信号を出力させる操作を繰り返し行う。DJがサンプラーボタン１を押すと、ミキシング装置からサンプリングデータ１のオーディオ信号が出力される。DJがサンプラーボタン２を押すと、ミキシング装置からサンプリングデータ２のオーディオ信号が出力される。このため、DJが交互にサンプラーボタン１及びサンプラーボタン２を押圧する操作を繰り返し行うと、サンプリングデータ１のオーディオ信号（ドラム音１）とサンプリングデータ２のオーディオ信号（ドラム音２）が交互に出力され、楽曲のベースとなるリズムを生成することができる。
【０００５】
また、従来のミキシング装置には、どのチャンネルのオーディオ信号に対して、どの操作子が操作されたかを示す情報と、その操作が行われたときのオーディオ信号の経過時間を示す情報とを再現用情報として記憶し、この再現用情報に従って自動的に操作子を操作する自動再現機能を備えた装置がある（例えば、特許文献１参照。）
【０００６】
【特許文献１】特開平７−２０２６０３号公報
【発明の開示】
【発明が解決しようとする課題】
【０００７】
上述したように、DJは、選択スイッチを用いて効果音を生成するために、選択スイッチの操作を素早く繰り返す場合がある。このとき、DJは、オーディオ信号を聴取しながら、一定の間隔で発生する拍に合わせて選択スイッチを操作することにより、一定のリズムで効果音を生成しミキシング装置から出力させることができる。また、DJは、サンプラーボタンを用いて楽曲のベースとなるリズムを生成するために、サンプラーボタン１及びサンプラーボタン２を交互に繰り返し押圧する操作を行う場合がある。このとき、DJは、選択スイッチにより選択したオーディオ信号を聴取しながら、拍に合わせて、サンプラーボタン１及びサンプラーボタン２を交互に押圧する操作を繰り返すことにより、サンプリングデータから生成したリズム音が合成されたオーディオ信号をミキシング装置から出力させることができる。
【０００８】
特許文献１に開示されたような自動再現機能を備えたミキシング装置において、選択スイッチやサンプラーボタン１及びサンプラーボタン２の操作を示す情報と、それらの操作が行われたときのオーディオ信号の経過時間を示す情報とを再現用情報として記憶しておくことにより、DJは、拍に合わせて選択スイッチやサンプラーボタン１及びサンプラーボタン２を素早く繰り返す操作を何回も行う必要がなくなる。
【０００９】
しかしながら、DJは、再現用情報を記憶するために、選択スイッチやサンプラーボタン１及びサンプラーボタン２を拍に合わせて素早く繰り返す操作をし続けなければならない。このため、DJは、拍に合わせて選択スイッチやサンプラーボタン１及びサンプラーボタン２を操作するので、正確なリズム感覚を有する必要がある。また、DJは、拍に合わせて選択スイッチやサンプラーボタン１及びサンプラーボタン２の繰り返し操作を習熟しておく必要がある。
【００１０】
本発明は、上記の課題を解決するためになされたものであり、拍に合わせて操作子を押圧する操作をすることなく、操作子の操作を習熟していないDJでも、オーディオ信号から検出した拍に合わせて、記憶部に記憶させた操作子の操作を再現することができるミキシング装置を提供することを目的とする。
【課題を解決するための手段】
【００１１】
上記の課題を解決するために、本願の請求項１記載の発明は、複数のオーディオ信号を入力する入力部と、前記入力部から入力されたオーディオ信号に音響効果処理を施す音響効果処理部と、前記音響効果処理部により音響効果処理が施されたオーディオ信号を出力する出力部とを備えたミキシング装置において、前記入力部から入力されるオーディオ信号を選択する選択部と、前記音響効果処理部に入力するオーディオ信号を前記選択部により選択されたオーディオ信号に切り換える切換部と、前記選択部により選択されたオーディオ信号の拍を検出する拍検出部と、前記選択部によりオーディオ信号を選択する操作手順を示す情報を記憶する操作手順記憶部と、前記拍検出部が検出した拍に合わせて、前記操作手順記憶部に記憶された前記選択部の操作手順を示す情報に従って前記切換部によるオーディオ信号の切り換えを制御する制御部とを備えることを特徴とする。
【００１２】
また、本願の請求項２記載の発明は、複数のオーディオ信号を入力する入力部と、前記入力部から入力されたオーディオ信号に音響効果処理を施す音響効果処理部と、前記音響効果処理部により音響効果処理が施されたオーディオ信号を出力する出力部とを備えたミキシング装置において、前記入力部から入力されるオーディオ信号を選択する選択部と、前記選択部により選択されたオーディオ信号の拍を検出する拍検出部と、オーディオ信号を記憶する複数の記憶領域を有するオーディオデータ記憶部と、前記オーディオデータ記憶部の複数の記憶領域に記憶されたオーディオ信号を指定する指定部と、前記指定部により前記記憶部の記憶領域に記憶されたオーディオ信号を指定する操作手順を示す情報を記憶する操作手順記憶部と、前記拍検出部が検出した拍に合わせて、前記操作手順記憶部に記憶された前記指定部の操作手順を示す情報に従って前記オーディオデータ記憶部の複数の記憶領域に記憶されたオーディオ信号を読み出す制御をする制御部とを備えることを特徴とする。
【発明の効果】
【００１３】
本発明によれば、拍に合わせて操作子を押圧する操作をすることなく、操作子の操作を習熟していないDJでも、オーディオ信号から検出した拍に合わせて、記憶部に記憶させた操作子の操作を再現することができるミキシング装置を提供することができる。
【発明を実施するための最良の形態】
【００１４】
以下、本発明の実施の形態を図面に基づいて説明する。
図１は、本発明の一実施例であるミキシング装置の構成を示すブロック図である。図１において、１は入力部、１aはch1のオーディオ信号が入力される入力端子、１bはch2のオーディオ信号が入力される入力端子、１cはch3のオーディオ信号が入力される入力端子、１dはch4のオーディオ信号が入力される入力端子、１eはch5のオーディオ信号が入力される入力端子、１fはch6のオーディオ信号が入力される入力端子、２は切換部、３はADC（Analog to Digital Converter）、４は音響効果処理部、４aはオーディオデータ記憶部、５はDAC（Digital to Analog Converter）、６は出力端子、７は拍検出部、８は制御部、８aは操作手順記憶部、９は操作部を示す。
【００１５】
図２は、本発明の一実施例であるミキシング装置の操作部９を示す図である。図２において、１０aはch1のオーディオ信号又はch2のオーディオ信号を選択する選択スイッチ、１０bはch3のオーディオ信号又はch4のオーディオ信号を選択する選択スイッチ、１０cはch5のオーディオ信号又はch6のオーディオ信号を選択する選択スイッチ、１１は表示部、１２はデジタルオーディオデータをサンプリングデータ１としてオーディオデータ記憶部４aに記憶させる操作及びオーディオデータ記憶部４aに記憶したサンプリングデータ１を出力させる操作をするサンプラーボタン、１３はデジタルオーディオデータをサンプリングデータ２としてオーディオデータ記憶部４aに記憶させる操作及びオーディオデータ記憶部４aに記憶したサンプリングデータ２を出力させる操作をするサンプラーボタン、１４は選択スイッチ１０a〜選択スイッチ１０c若しくはサンプラーボタン１２及びサンプラーボタン１３が操作された操作手順を示す情報を操作手順記憶部８aに記憶させるための操作記憶ボタン、１５は操作手順記憶部８aに記憶された操作手順を示す情報に従った操作手順の再現を開始させる再現開始ボタン、１６は操作手順記憶部８aに記憶された操作手順を再現させる回数を設定する再現回数設定ノブ、１７aは選択スイッチ１０aにより選択されたオーディオ信号の出力レベルを調節するchフェーダ、１７bは選択スイッチ１０bにより選択されたオーディオ信号の出力レベルを調節するchフェーダ、１７cは選択スイッチ１０cにより選択されたオーディオ信号の出力レベルを調節するchフェーダ、１８は拍に合わせて操作手順記憶部８aに記憶された情報に従った操作手順を再現させるための拍数を設定する拍数設定ノブを示す。
【００１６】
図１に示す入力部１は、６個の入力端子１a〜入力端子１fを備えている。入力端子１a〜入力端子１fは、アナログレコードプレーヤやCD（Compact Disc）プレーヤ等の再生装置が備えるオーディオ出力端子とケーブルで接続され、これらの再生装置からアナログオーディオ信号を入力する。切換部２は、入力部１から入力されるアナログオーディオ信号の中から、操作部９の選択スイッチ１０a、選択スイッチ１０b及び選択スイッチ１０cにより選択されたチャンネルのアナログオーディオ信号に切り換える。切換部２により切り換えられたアナログオーディオ信号は、ADC３に入力される。例えば、選択スイッチ１０aによりch1が選択されると、切換部４は、入力端子１aから入力されるアナログオーディオ信号を選択するように切り換える。
【００１７】
ADC３に入力されたアナログオーディオ信号は、デジタルオーディオデータに変換され音響効果処理部４及び拍検出部７に入力される。音響効果処理部４は、入力されたデジタルオーディオデータからエコー等の効果音の生成や生成した効果音とADC３から入力されるデジタルオーディオデータとの合成などの音響効果処理を施す。また、音響効果処理部４は、操作部９のchフェーダ１７a、chフェーダ１７b及びchフェーダ１７cにより音響効果処理部４から出力されるアナログオーディオ信号の出力レベルを調節する。音響効果処理部４は、デジタルオーディオデータを記憶するオーディオデータ記憶部４aを備えている。
【００１８】
オーディオデータ記憶部４aには、操作部９のサンプラーボタン１２が押されたとき、音響効果処理部４に入力されたデジタルオーディオデータから定められた時間分のデジタオルオーディオデータをサンプリングデータ１として記憶する記憶領域、操作部９のサンプラーボタン１３が押されたとき、音響効果処理部４に入力されたデジタルオーディオデータから定められた時間分のデジタオルオーディオデータをサンプリングデータ２として記憶する記憶領域を備えている。サンプラーボタン１２が押されたとき、オーディオデータ記憶部４aに記憶されたサンプリングデータ１が読み出されDAC５に入力される。サンプラーボタン１３が押されると、オーディオデータ記憶部４aに記憶されたサンプリングデータ２が読み出されDAC５に入力される。DAC５は、音響効果処理部４から入力されたデジタルオーディオデータをアナログオーディオ信号に変換する。DAC５により変換されたアナログオーディオ信号は、出力端子６から出力される。
【００１９】
拍検出部７は、特定の楽器（例えば、常にほぼ同じ周波数成分の音を発生する打楽器など）が一定の間隔で発生する拍を検出する。例えば、拍検出部７は、ADC３から入力されるデジタルオーディオデータから所定の周波数帯域成分を抽出し、抽出したデータのレベルが予め定められたレベルを超えたとき、拍の発生を検出する。拍検出部７は、検出した拍から単位時間当たりの拍数BPM（Beat Per Minute）を算出し、算出したBPMを制御部８に入力する。
【００２０】
制御部８は、操作部９からの操作指示により切換部２及び音響効果処理部４を制御する。制御部８は、拍検出部７から入力されるBPMから拍が発生する間隔の発生時間Tを算出する。例えば、入力されるBPMが１２０であるとき、拍は、１秒間に２回発生するので、発生時間Tは、０．５秒となる。また、制御部８は、選択スイッチ１０a〜選択スイッチ１０c及びサンプラーボタン１２、サンプラーボタン１３が操作された操作手順を記憶する操作手順記憶部８aを備えている。
【００２１】
本発明の第１実施例のミキシング装置を説明する。
第１実施例では、選択スイッチ１０aを用いて入力されたオーディオ信号から効果音を生成する動作を説明する。ここで、入力端子１aは、アナログレコードプレーヤと接続しｃｈ１のアナログオーディオ信号が入力され、また、入力端子１bは、再生装置と接続されていないものとして、本発明の第１実施例を説明する。図３は、第１実施例のミキシング装置の動作を説明するフローチャートである。
【００２２】
図３に示すステップ１は、操作記憶ボタン１４を押圧するステップである。DJは、操作記憶ボタン１４を押圧する。ステップ２は、選択スイッチ１０aを操作するステップである。DJは、選択スイッチ１０aによりch1を選択する操作（以下操作１という。）をした後、ch2を選択する操作（以下操作２という。）をする。
【００２３】
ステップ３は、制御部８が選択スイッチ１０aによる操作手順を示す情報を操作手順記憶部８aに記憶する制御をするステップである。制御部８は、選択スイッチ１０aによる操作１及び操作２の操作手順を示す情報を操作手順記憶部８aに記憶する制御をする。
【００２４】
ステップ４は、再現回数設定ノブ１６により操作手順記憶部８aに記憶された操作手順を示す情報に従った操作手順を再現する回数を設定するステップである。DJは、再現回数設定ノブ１６を操作して操作手順記憶部８aに記憶された操作手順を示す情報に従った操作１及び操作２の操作手順を再現する回数を設定する。本実施例では、操作手順の再現回数を１０回に設定する。この場合、操作１から操作２へと続く操作手順を連続して１０回再現する。
【００２５】
ステップ５は、拍数設定ノブ１８により拍に合わせて操作１及び操作２の操作を再現するための拍数を設定するステップである。DJは、拍数設定ノブ１８を操作して拍数を設定する。本実施例のミキシング装置は、例えば、DJが拍数を１に設定すると、１つの拍が発生する毎に操作１又は操作２の操作を再現することができ、DJが１以外の拍数に設定すると、例えば、拍数を４に設定すると、４つの拍が発生する毎に操作１又は操作２の操作を再現することができる。本実施例では、拍数を１に設定する。この場合、第１実施例のミキシング装置は、操作１の再現をした後、１つの拍が発生したときに操作２を再現する。
【００２６】
ステップ６は、選択スイッチ１０aによりch1を選択するステップである。制御部８は、操作部９からch1を選択する操作指示が入力されると、切換部２に入力端子１aから入力されるch1のアナログオーディオ信号を選択するように切り換えさせる制御をする。入力端子１０aから入力されたch1のアナログオーディオ信号は、ADC３によりデジタルオーディオデータに変換され、音響効果処理部４及び拍検出部７に入力される。
【００２７】
ステップ７は、拍検出部７が入力されるデジタルオーディオデータから拍を検出するステップである。拍検出部７は、検出した拍からBPMを算出し、算出したBPMを制御部８に入力する。制御部８は、入力されたBPMから拍が発生するまでの発生時間Tを算出する。
【００２８】
ステップ８は、操作部９の再現開始ボタン１５が押圧されたか否かを制御部８が判別するステップである。DJは、本実施例のミキシング装置から出力されるch1のオーディオ信号を聴取し、選択スイッチ１０aを用いて効果音を生成させたい位置で拍が発生したことを聴取すると、再現開始ボタン１５を押す。再現開始ボタン１５が押圧された場合は、ステップ９に進む。
【００２９】
ステップ９は、制御部８が操作１を再現する制御をするステップである。制御部８は、操作手順記憶部８aに記憶された操作１が示す操作情報に従って、切換部２が入力端子１aから入力されるch1のアナログオーディオ信号を選択する制御をする。ここでは、ステップ６において選択スイッチ１０aによりch1のオーディオ信号を選択する操作をしているので、制御部８は、入力端子１aから入力されるch1のアナログオーディオ信号を選択するように切り換える制御をしない。後述するように、次にステップ９の処理を行う場合、すなわち、操作２の再現（ステップ１１）に続きステップ１２、ステップ１３を経て２回目以降のステップ９の処理を行う場合、制御部９は、切換部２がch1のアナログオーディオ信号を選択する制御をする。
【００３０】
ステップ１０は、ステップ５において設定した拍数の拍が発生したか否かを制御部８が判別するステップである。ステップ５において拍数を１に設定したので、操作１を再現する制御をした後、次の拍が発生したときに操作２の再現をするために、制御部８は、操作１を再現する制御をしてからステップ７において算出した発生時間Tが経過したか否かを判別する。ステップ５において設定した拍数の拍が発生した場合は、ステップ１１に進む。
【００３１】
ステップ１１は、制御部８が操作２を再現する制御をするステップである。制御部８は、操作手順記憶部８aに記憶された操作２が示す操作情報に従って、切換部２がch2のアナログオーディオ信号を選択する制御をする。
【００３２】
ステップ１２は、ステップ４において設定した操作手順を再現する回数になったか否かを制御部８が判別するステップである。ステップ４において操作手順の再現回数を１０回に設定ので、制御部８は、操作１及び操作２の操作手順を１０回再現したか否かを判別する。ステップ４において設定した操作手順を再現する回数になっていない場合は、ステップ１３に進む。
【００３３】
ステップ１３は、ステップ５において設定した拍数の拍が発生したか否かを制御部８が判別するステップである。ステップ５において拍数を１に設定したので、制御部８は、操作２を再現する制御をした後、ステップ７において算出した発生時間Tが経過したか否かを判別する。ステップ５において設定した拍数の拍が発生した場合は、ステップ９に進む。
【００３４】
上述した第１実施例において、制御部８は、入力端子１aから入力されるch1のアナログオーディオ信号の拍に合わせて、選択スイッチ１０aによりch1を選択する操作１を再現する制御とch2を選択する操作２を再現する制御をする。このため、入力端子１aからch1のアナログオーディオ信号が入力され、入力端子１bからch2のオーディオ信号の入力がないので、本実施例のミキシング装置は、ch1のアナログオーディオ信号の拍に合わせて、ch1のアナログオーディオ信号と無音の再生音を交互に出力することができる。
【００３５】
次に、本発明の第２実施例のミキシング装置を説明する。
第２実施例では、サンプラーボタン１２及びサンプラーボタン１３を用いてリズム音を生成し、生成したリズム音をch1のオーディオ信号と合成する操作について説明する。ここで、音圧レベルの高いドラム音等のデジタルオーディオデータがサンプリングデータ１及びサンプリングデータ２として既にオーディオデータ記憶部４aに記憶されているものとする。また、入力端子１aは、アナログレコードプレーヤと接続しｃｈ１のアナログオーディオ信号が入力され、その他の入力端子には、オーディオ信号が入力しないものとして、本発明の第２実施例を説明する。図４は、第２実施例のミキシング装置の動作を説明するフローチャートである。
【００３６】
図４に示すステップ２１は、操作記憶ボタン１４を押圧するステップである。DJは、操作記憶ボタン１４を押圧する。ステップ２２は、サンプラーボタン１２及びサンプラーボタン１３を操作するステップである。DJは、サンプラーボタン１２を押圧する操作（以下操作３という。）をした後、サンプラーボタン１３を押圧する操作（以下操作４という。）をする。
【００３７】
ステップ２３は、制御部８がサンプラーボタン１２及びサンプラーボタン１３による操作手順を示す情報を操作手順記憶部８aに記憶する制御をするステップである。制御部８は、サンプラーボタン１２による操作３及びサンプラーボタン１３による操作４の操作手順を示す情報を操作手順記憶部８aに記憶する制御をする。
【００３８】
ステップ２４は、再現回数設定ノブ１６により操作手順記憶部８aに記憶された操作手順を示す情報に従った操作手順を再現する回数を設定するステップである。DJは、再現回数設定ノブ１６を操作して操作手順記憶部８aに記憶された操作手順を示す情報に従った操作３及び操作４の操作手順を再現する回数を設定する。本実施例では、操作手順の再現回数を１０回に設定する。この場合、操作３から操作４へと続く操作手順を連続して１０回再現する。
【００３９】
ステップ２５は、拍数設定ノブ１８により拍に合わせて操作３及び操作４を再現するための拍数を設定するステップである。本実施例のミキシング装置は、例えば、DJが拍数を１に設定すると、１つの拍が発生する毎に操作１又は操作２の操作を再現することができ、DJが１以外の拍数に設定すると、例えば、拍数を４に設定すると、４つの拍が発生する毎に操作３又は操作４の操作を再現することができる。本実施例では、拍数を４に設定する。この場合、第２実施例のミキシング装置は、操作３の再現をした後、４つの拍が発生したときに操作４を再現する。
【００４０】
ステップ２６は、選択スイッチ１０aによりch1を選択するステップである。制御部８は、操作部９からch1を選択する操作指示が入力されると、切換部２に入力端子１aから入力されるch1のアナログオーディオ信号を選択するように切り換えさせる制御をする。入力端子１０aから入力されたch1のアナログオーディオ信号は、ADC３によりデジタルオーディオデータに変換され、音響効果処理部４及び拍検出部７に入力される。
【００４１】
ステップ２７は、拍検出部７が入力されるデジタルオーディオデータから拍を検出するステップである。拍検出部７は、検出した拍からBPMを算出し、算出したBPMを制御部８に入力する。制御部８は、入力されたBPMから拍が発生するまでの発生時間Tを算出する。
【００４２】
ステップ２８は、制御部８が操作部９の再現開始ボタン１５が押圧されたか否かを判別するステップである。DJは、本実施例のミキシング装置から出力されるch1のオーディオ信号を聴取し、選択スイッチ１０aを用いて効果音を生成させたい位置で拍が発生したことを聴取すると、再現開始ボタン１５を押す。再現開始ボタン１５が押圧された場合は、ステップ２９に進む。
【００４３】
ステップ２９は、制御部８が操作３を再現する制御をするステップである。制御部８は、操作手順記憶部８a記憶された操作３を示す操作情報に従って、オーディオデータ記憶部４aに記憶されたサンプリングデータ１を読み出す制御をする。
【００４４】
ステップ３０は、ステップ２５において設定した拍数の拍が発生したか否かを制御部８が判別するステップである。ステップ２５において拍数を４に設定したので、操作３を再現する制御をした後、４つの拍が発生したときに操作４の再現をするために、制御部８は、操作３を再現する制御をしてからステップ２７において算出した発生時間Tを４倍した時間が経過したか否かを判別する。ステップ２５において設定した拍数の拍が発生した場合は、ステップ３１に進む。
【００４５】
ステップ３１は、制御部８が操作４を再現する制御をするステップである。制御部８は、操作手順記憶部８aに記憶された操作４が示す操作情報に従って、オーディオデータ記憶部４aに記憶されたサンプリングデータ２を読み出す制御をする。
【００４６】
ステップ３２は、ステップ２４において設定した操作手順を再現する回数になったか否かを制御部８が判別するステップである。ステップ２４において操作手順の再現回数を１０回に設定ので、制御部８は、操作３及び操作４の操作手順を１０回再現したか否かを判別する。ステップ２４において設定した操作手順を再現する回数になっていない場合は、ステップ３３に進む。
【００４７】
ステップ３３は、ステップ２５において設定した拍数の拍が発生したか否かを制御部８が判別するステップである。ステップ２５において拍数を４に設定したので、操作４を再現する制御をした後、４つの拍が発生したときに操作３の再現をするために、制御部８は、操作４を再現する制御をしてからステップ２７において算出した発生時間Tを４倍した時間が経過したか否かを判別する。ステップ２５において設定した拍数の拍が発生した場合は、ステップ２９に進む。
【００４８】
上述した第２実施例において、制御部８は、入力端子１aから入力されるch1のアナログオーディオ信号の拍に合わせて、サンプラーボタン１２を押圧する操作３を再現する制御とサンプラーボタン１３を押圧する操作４を再現する制御をする。このため、本実施例のミキシング装置は、ch1のアナログオーディオ信号の拍に合わせて、サンプリングデータ１及びサンプリングデータ２から生成したリズム音が合成されたch1のアナログオーディオ信号を出力することができる。
【００４９】
上述した本実施例のミキシング装置において、音響効果処理部４に入力されるデジタルオーディオデータをオーディオデータ記憶部４aの定められた記憶領域に記憶させるようにしてもよい。この場合、制御部８は、オーディオデータ記憶部４aにデジタルオーディオデータと拍検出部７がこのデジタルオーディオデータから拍を検出した位置に拍の発生を示す情報を記憶する。制御部８は、オーディオデータ記憶部４aからデジタルオーディオデータ及び拍の発生を示す情報を読み出す制御をし、拍の発生を示す情報に合わせて、操作手順記憶部８aに記憶された操作を再現する制御をするようにしてもよい。
【図面の簡単な説明】
【００５０】
【図１】本発明の実施例であるミキシング装置の構成を示すブロック図。
【図２】本発明の実施例であるミキシング装置の操作部９を示す図。
【図３】第１実施例のミキシング装置の動作を説明するフローチャート。
【図４】第２実施例のミキシング装置の動作を説明するフローチャート。
【符号の説明】
【００５１】
１…入力部、１a・・入力端子、１b…入力端子、１c…入力端子、１d…入力端子、１e…入力端子、１f…入力端子、２…切換部、３…ADC、４…音響効果処理部、４a…オーディオデータ記憶部、５…DAC、６…出力端子、７…拍検出部、８…制御部、８a…操作手順記憶部、９…操作部１０a…選択スイッチ、１０b…選択スイッチ、１０c…選択スイッチ、１１…表示部、１２…サンプラーボタン、１３…サンプラーボタン、１４…操作記憶ボタン、１５…再現開始ボタン、１６…再現回数設定ノブ、１７a…chフェーダ、１７b…chフェーダ、１７c…chフェーダ、１８…拍数設定ノブ
【図１】
2005292317.tif 000003
【図２】
2005292317.tif 000004
【図３】
2005292317.tif 000005
【図４】
2005292317.tif 000006